(57)【特許請求の範囲】
【請求項１】
樹脂窓の型材であって、型材本体と取り付け用部材とからなり、前記型材本体は断面が略Ｃ字型であるとともに開口を有する取り付け部を有しており、前記取り付け用部材は開口を有し断面が略Ｃ字型であるとともに該取り付け部に係合され、前記取り付け用部材は前記取り付け部よりも高い強度を有し、前記取り付け部の前記開口と前記取り付け用部材の前記開口とは同方向を指向していることを特徴とする樹脂窓の型材。
【請求項２】
請求項１に記載の樹脂窓の型材において、前記取り付け用部材は、その開口の両側に位置する係合用突起を有しており、前記取り付け部は前記取り付け用部材の前記係合用突起に対応した凹部を有することを特徴とする樹脂窓の型材。
【請求項３】
請求項１または２に記載の樹脂窓の型材において、前記取り付け用部材は、その開口に対向する端に凹状に形成されたネジ収容部を有することを特徴とする樹脂窓の型材。
【請求項４】
請求項１から３のいずれか１項に記載の樹脂窓の型材において、前記取り付け用部材は、さらにネジによって前記取り付け部に固定されていることを特徴とする樹脂窓の型材。
【請求項５】
請求項１から４のいずれか１項に記載の樹脂窓の型材において、前記取り付け用部材は、アルミニウム又はアルミニウム合金からなることを特徴とする樹脂窓の型材。
【請求項６】
樹脂窓であって、障子框または窓枠の少なくとも一部が請求項１から５のいずれか１項に記載の型材からなることを特徴とする樹脂窓。
【請求項７】
請求項６に記載の樹脂窓において、前記取り付け用部材に係合される接続部材を有し、前記取り付け用部材はその開口の両側に位置する凹部を有しており、前記接続部材は、前記取り付け用部材の前記凹部に対応した突起を有することを特徴とする樹脂窓。
【発明の詳細な説明】
【技術分野】
【０００１】
本発明は、樹脂窓の型材及び該型材を用いた樹脂窓に関するものである。
【背景技術】
【０００２】
従来の樹脂窓は、図４に示すように、障子框を構成する型材が略Ｃ字型断面の取り付け部を有しており、接続部材がこの取り付け部に挿入されるとともにネジによって型材に固定されており、ヒンジなどの部材が接続部材によって障子框に固定されるようになっている。
【０００３】
この樹脂窓には下記の課題が存在する。取り付け部を構成する材質の強度が比較的低いため変形しやすく、それによってヒンジなどの部材が緩んで障子の開閉に影響を与える。一方において、この樹脂窓の接続部材はネジによって障子框に固定されるが、従来のアルミニウム合金窓の接続部材は係合方式によって障子框に固定されるようになっている。この２種類の接続部材は構造と寸法が異なるため、樹脂窓とアルミニウム合金窓の接続部材が互換性を有していない。
【発明の概要】
【発明が解決しようとする課題】
【０００４】
本発明は前記の課題を解決するためになされたものであり、本発明の目的の一つは、接続部材などの部材に接合される部分が変形しにくい樹脂窓の型材を提供することにある。また、本発明の他の目的は、接続部材などの部材が簡単に取り付けられる樹脂窓を提供することにある。本発明のさらに他の目的は、アルミニウム合金窓の接続部材と互換性を有する樹脂窓を提供することにある。
【課題を解決するための手段】
【０００５】
本発明の第１形態として、樹脂窓の型材であって、型材本体と取り付け用部材とからなり、前記型材本体は断面が略Ｃ字型であるとともに開口を有する取り付け部を有しており、前記取り付け用部材が開口を有し断面が略Ｃ字型であるとともに該取り付け部に係合され、前記取り付け用部材は前記取り付け部よりも高い強度を有する。
【０００６】
本発明の第２形態として、第１形態の樹脂窓の型材において、前記取り付け用部材は、その開口の両側に位置する係合用突起及び凹部を有しており、前記取り付け部は前記取り付け用部材の前記係合用突起に対応した凹部を有する。
【０００７】
本発明の第３形態として、第１形態または第２形態に記載の樹脂窓の型材において、前記取り付け用部材は、その開口に対向する端に凹状に形成されたネジ収容部を有する。
【０００８】
本発明の第４形態として、第１形態または第２形態に記載の樹脂窓の型材において、前記取り付け用部材は、さらにネジによって前記取り付け部に固定されている。
【０００９】
本発明の第５形態として、第１形態または第２形態に記載の樹脂窓の型材において、前記取り付け用部材は、アルミニウム又はアルミニウム合金からなる。
【００１０】
本発明の第６形態として、樹脂窓であって、障子框または窓枠の少なくとも一部が前記第１形態から第５形態のいずれか１項に記載の型材からなることを特徴とする。
【００１１】
本発明の第７形態として、第６形態の樹脂窓において、前記取り付け用部材に係合される接続部材を有し、前記接続部材は、前記取り付け用部材の前記凹部に対応した突起を有する。
【発明の効果】
【００１２】
本発明の樹脂窓の型材によれば、取り付け用部材の強度が型材本体の取り付け部の強度よりも高いため、取り付け部を補強し、取り付け部が変形することを回避し、ヒンジなどの部材が緩んで障子の開閉に影響を与えることを防止することができる。また、本発明の樹脂窓の型材は係合方式により接続部材などの部材と接続することができるため、取り付けが簡単になる。さらに、本発明の樹脂窓によれば、接続部材が従来のアルミニウム合金窓の接続部材と同じように係合方式によって窓枠に固定されるため、アルミニウム合金窓と同じ接続部材を使用することができ、接続部材の汎用化、互換化を実現するとともに、樹脂窓のコストを削減した。
【図面の簡単な説明】
【００１３】
【図１−１】図１−１は、取り付け用部材が取り付け部に嵌め込まれる前の状態を示す断面図である。
【図１−２】図１−２は、取り付け用部材が取り付け部に嵌め込まれた状態を示す断面図である。
【図２】図２は、本発明の樹脂窓の断面図である。
【図３】図３は、本発明の型材を用いて障子框を構成するプロセスを示す立体図である。
【図４】図４は、従来の樹脂窓の断面図である。
【発明を実施するための形態】
【００１４】
［実施例１］
以下において図１と図２を参照しながら本発明の実施例１を説明する。図１は本発明の樹脂窓の型材を示す断面図であり、図１−１は取り付け用部材が取り付け部に嵌め込まれる前の状態を示す断面図であり、図１−２は取り付け用部材が取り付け部に嵌め込まれた状態を示す断面図である。
【００１５】
図１−１に示すように、樹脂窓の型材１は、型材本体２と取り付け用部材３とからなる。取り付け用部材３は、断面が略Ｃ字型であるとともに開口を有しており、開口の両側に位置する凹部４及び係合用突起５を有し、取り付け用部材３はその開口に対向する端に凹状に形成されたネジ収容部１４を有している。型材本体２の取り付け部６は、断面が略Ｃ字型であるとともに取り付け用部材３の係合用突起５に対応した凹部７を有している。取り付け用部材３は、取り付け部６よりも高い強度を有し、例えばアルミニウム合金からなる。図１−２に示すように、取り付け用部材３の係合用突起５が取り付け部６に嵌め込まれ、型材本体２の突起８が取り付け用部材３の係合用突起５に係合されることにより、取り付け用部材３が型材本体２に係合固定され、型材１が構成される。
【００１６】
図２は本発明の樹脂窓を示す断面図である。図２に示すように、樹脂窓は接続部材９、ヒンジ１０、障子框１１、窓枠１２からなる。障子框１１は型材１からなり、接続部材９が取り付け用部材３に嵌め込まれるとともに係合され、ヒンジ１０の一方側が接続部材９に接続され、他方側が窓枠１２に接続される。型材本体２と取り付け用部材３との接続をより強固にするために、ネジ１３により取り付け用部材３を型材本体２に固定する。ネジ１３のヘッド部がネジ収容部１４に収容されるために、部材９を傷つけることがなくなる。当然のことながらネジ１３を使用しなくてもよい。
【００１７】
図３は本発明の型材を用いて構成された障子框を示す立体図である。型材本体２により障子框１１の上下の框及び左右の縦框を構成し、取り付け用部材３が型材本体２に取り付けられる。取り付け用部材３の長さは、上下の框及び左右の縦框を構成する型材本体２と同じ長さとしてもよく、必要に応じて所定の長さに製作して障子框１１を構成する一部の型材本体２に係合するようにしてもよい。
【００１８】
実施例１の樹脂窓の型材１によれば、取り付け用部材３の強度が取り付け部６の強度よりも高いため、取り付け部６を補強し、取り付け部６が変形することによりヒンジ９などの部材が緩んで障子の開閉に影響を与えることを回避することができる。また、本発明の樹脂窓は、アルミニウム合金窓と同様接続部材９を障子框１１に係合固定させる方式を採用しているため、本発明の樹脂窓は、従来のアルミニウム合金窓と同じ接続部材を使用することができ、接続部材の汎用化、互換化を実現するとともに、樹脂窓のコストを削減した。
【００１９】
［実施例２］
実施例１において、型材１によって樹脂窓の障子框１１を構成する場合を例に説明したが、型材１によって窓枠１２を構成してもよい。
【００２０】
［実施例３］
実施例１において、接続部材９の一端を取り付け用部材３に係合させ、他方端をヒンジ１０に接続させる場合を例に説明したが、接続部材９をヒンジ以外の他の部材に接続させてもよく、接続部材９はさらにヒンジなどの部材と一体に形成してもよい。
【産業上の利用可能性】
【００２１】
前に述べたように、本発明の型材と樹脂窓とは産業上において優れた利用可能性を有する。
【符号の説明】
【００２２】
１．型材、２．型材本体、３．取り付け用部材、４．取り付け用部材の凹部、５．係合用突起、６．取り付け部、７．型材本体の凹部、８．型材本体の突起、９．接続部材、１０．ヒンジ、１１．障子框、１２．窓枠、１３．ネジ、１４．ネジ収容部
【図１−１】
0006787689.tif 000002
【図１−２】
0006787689.tif 000003
【図２】
0006787689.tif 000004
【図３】
0006787689.tif 000005
【図４】
0006787689.tif 000006